(57)【要約】【課題】軽量で強度を維持しつつ、水の浸入による手摺の破損を確実に回避できる手摺用支柱及び手摺を提供する。【解決手段】基礎コンクリート２に固定する手摺用支柱１において、全体を中実部材で形成して、支柱１の一方を基礎コンクリート２に埋め込まれる埋込部分13とし、他方を基礎コンクリート２から露出する露出部分15とし、前記埋込部分13に凹凸状の抜け止め部14を備えている。支柱３全体が中実部材で形成されていることにより、支柱３内部への水の浸入や浸透を確実に防止でき、水の浸入による手摺１の破損を確実に回避できる。また、抜け止め部14の凹凸形状によって、基礎コンクリート２と支柱３とを固定する充填材の取付穴８内部での回りが良くなり、支柱３の抜け止め効果が向上し、支柱３を強固に固定することができる。【選択図】図２
2010156151.tif 000002
【特許請求の範囲】
【請求項１】
基礎に固定する手摺用支柱において、全体を中実部材で形成して、前記手摺用支柱の一方を前記基礎に埋め込まれる埋込部分とし、他方を前記基礎から露出する露出部分とし、前記埋込部分に凹凸状の抜け止め部を備えたことを特徴とする手摺用支柱。
【請求項２】
前記埋込部分の前記露出部分側に前記抜け止め部を設けない領域を備えたことを特徴とする請求項１記載の手摺用支柱。
【請求項３】
前記埋込部分から前記露出部分にかけて前記手摺用支柱の表面に焼付塗装を行う塗装部を備えたことを特徴とする請求項１又は２に記載の手摺用支柱。
【請求項４】
前記手摺用支柱は、中央板部と、この中央板部の両端部にそれぞれ一体成形され互いに対向した対向部とによって、水平断面がほぼＨ状又はＩ状に形成されており、前記抜け止め部は前記対向部に設けたものとすることを特徴とする請求項１〜３のいずれか１項に記載の手摺用支柱。
【請求項５】
基礎に固定する手摺用支柱を有する手摺において、前記手摺用支柱は、請求項１〜４のいずれか１項に記載の手摺用支柱を用いたことを特徴とする手摺。
【請求項６】
前記基礎を、超高強度コンクリートとすることを特徴とする請求項５記載の手摺。
【発明の詳細な説明】
【技術分野】
【０００１】
本発明は、建物の屋上や階段あるいはベランダやバルコニーに設ける手摺用支柱及びそれを用いた手摺に関する。
【背景技術】
【０００２】
一般に建物の屋上やベランダなどには、落下を防止するための手摺が設けられている。これらの手摺の格子や支柱は、軽く且つ安価に製造するために、中空の筒状体からなる棒状部材が用いられている（例えば、特許文献１及び特許文献２参照)。
【特許文献１】特開昭５８−５５９号公報
【特許文献２】特開平１１−８１６０１号公報
【発明の開示】
【発明が解決しようとする課題】
【０００３】
しかし、このような中空の筒状体からなる棒状部材を格子又は支柱に用いた手摺においては以下の問題がある。それは、格子、支柱、横桟及びその他の構成部材は、ビスなどによって手摺の状態に組み立てられるが、構成部材間の接合面及びビスのねじ孔などから、毛細管現象や風圧によって雨水等が筒状体の内部空間に侵入し、この侵入した水が気温が低くなると凍結し、筒状体を破裂させる場合があるということである。また、一般的に格子又は支柱の棒状部材としては、耐候性、成型容易性などの点を考慮して、アルミニウム製の筒状体の外面にアルマイト処理を施したものが普及しているが、筒状体の内面には特に腐食防止用の表面処理などが施されていないことが多い。このため、筒状体の内部空間に侵入した水によって内壁が腐食する。特に、海に近い地方では侵入した水に塩分が含まれているため、腐食が早い速度で進む。また、筒状体の底部に溜まった水によって、手摺を固定する溶接用アンカーが錆びるとともに、基礎コンクリートが劣化し、内部の鉄筋が腐食する。これにより、基礎コンクリートにひび割れが発生し、基礎コンクリートに植設される手摺の取付強度も著しく低下する。
【０００４】
そこで、本発明は以上の点を考慮してなされたもので、軽量で強度を維持しつつ、水の浸入による手摺の破損を確実に回避できる手摺用支柱及びこれを用いた手摺を提供することにある。
【課題を解決するための手段】
【０００５】
請求項１の発明は、基礎に固定する手摺用支柱において、全体を中実部材で形成して、前記手摺用支柱の一方を前記基礎に埋め込まれる埋込部分とし、他方を前記基礎から露出する露出部分とし、前記埋込部分に凹凸状の抜け止め部を備えたことを特徴とする。
【０００６】
請求項２の発明は、前記埋込部分の前記露出部分側に前記抜け止め部を設けない領域を備えたことを特徴とする。
【０００７】
請求項３の発明は、前記埋込部分から前記露出部分にかけて前記手摺用支柱の表面に焼付塗装を行う塗装部を備えたことを特徴とする。
【０００８】
請求項４の発明は、前記手摺用支柱は、中央板部と、この中央板部の両端部にそれぞれ一体成形され互いに対向した対向部とによって、水平断面がほぼＨ状又はＩ状に形成されており、前記抜け止め部は前記対向部に設けたものとすることを特徴とする。
【０００９】
請求項５の発明は、基礎に固定する手摺用支柱を有する手摺において、前記手摺用支柱は、請求項１〜４のいずれか１項に記載の手摺用支柱を用いたことを特徴とする。
【００１０】
請求項６の発明は、前記基礎を、超高強度コンクリートとすることを特徴とする。
【発明の効果】
【００１１】
請求項１の発明によれば、手摺用支柱全体が中実部材で形成されていることにより、手摺用支柱内部への水の浸入や浸透を確実に防止でき、水の浸入による手摺の破損を確実に回避できる。また、抜け止め部の凹凸形状によって、基礎と手摺用支柱を固定する充填材の回りが良くなり、手摺用支柱の抜け止め効果が向上し、支柱を強固に固定することができる。
【００１２】
請求項２の発明によれば、荷重のかかり易い基礎から露出した手摺用支柱の根元側の強度を落すことなく、抜け止め部による手摺用支柱の抜け止め効果を発揮することができる。
【００１３】
請求項３の発明によれば、手摺用支柱の耐候性を高めて、手摺用支柱と基礎がアルカリ骨材反応を発生して手摺用支柱に腐食が発生することを防ぐ。こうすることで、長い年月が経過しても劣化しない超高耐候性を有する手摺を提供することができ、特に手摺用支柱の中で一番腐食し易い基礎から露出した根元付近の腐食を防ぐことが可能となる。
【００１４】
請求項４の発明によれば、手摺用支柱全体が中実部材で形成されているものの、水平断面をほぼＨ状又はＩ状としたので、従来のような中空の筒状態でなる支柱と同様に軽量にできるとともに、強度を維持でき、さらに手摺用支柱の強度を損なうことなく、抜け止め部を設けることが可能となる。
【００１５】
請求項５の発明によれば、手摺用支柱全体が中実部材で形成されていることにより、手摺用支柱内部への水の浸入や浸透を確実に防止でき、水の浸入による手摺の破損を確実に回避できる。また、抜け止め部の凹凸形状によって、基礎と手摺用支柱を固定する充填材の回りが良くなり、手摺用支柱の抜け止め効果が向上し、支柱を強固に固定することができる。
【００１６】
請求項６の発明によれば、手摺用支柱に超高強度コンクリートを用いた基礎を組み合わせることで、手摺の基礎部分の強度を向上させて、手摺の耐候性をさらに向上させることが可能となる。
【発明を実施するための最良の形態】
【００１７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須条件であるとは限らない。
【００１８】
図１〜３において、１は全体として本発明の第１実施例における手摺を示し、この手摺１は、例えば建物の屋上やベランダなどの周縁に設けられた基礎コンクリート２に複数の支柱３を用いて取り付けられている。ここで、基礎コンクリート２には、周知の超高強度コンクリートを用いることが好ましい。その際、高強度コンクリートの圧縮強度は60〜100N／mm2以上とし、150Ｎ／mm2以上であることが好ましい。
【００１９】
実際上、この手摺１は、基礎コンクリート２に植設された複数の支柱３（１本のみ図示）と、当該支柱３に水平に架設される中空角筒状の横桟４と、当該横桟４から上方に向かって延びる複数の縦桟５と、当該縦桟５及び支柱３の上端部６に水平に架設された笠木７とで構成されている。これら支柱３、横桟４、縦桟５および笠木７はアルミニウム製のものが用いられる。また、これらアルミニウム製の支柱３、横桟４、縦桟５および笠木７の表面には、厚さ約９μｍ以上のアルマイト皮膜、厚さ約７〜１２μｍ以上の電着樹脂皮膜が順次積層して形成されることで、支柱３、横桟４、縦桟５および笠木７の耐候性を向上させている。
【００２０】
図２に示すように基礎コンクリート２は、その上面に取付穴８が形成されており、この取付穴８の底部８aに支柱３の下端部９が配置され、この状態でモルタル（無収縮モルタル）やエポキシ樹脂などの充填材（図示せず）が取付穴８に充填されて支柱３を固定し得る。
【００２１】
ここで支柱３は、上端部６から下端部９までの全体が中実部材で一体成形されている。また、支柱３は、対向する側面に、長手方向に延びる溝部10a及び10bが対称的に形成されており、水平断面がほぼH状に構成されている。
【００２２】
実際上、この支柱３は、板状の中央板部11と、この中央板部11の端部にそれぞれ一体形成され、当該中央板部11にほぼ直角に配置された板状の対向板部12a及び12bとによって構成されている。
【００２３】
下端部９から取付穴８に埋め込まれる支柱３の埋込部分13において、対向板部12a及び12bの埋込部分13では、下端部９から埋込部分13全体の長さＬ１の約１／２〜２／３である長さＬ２にかけて、凹凸状の抜け止め部14が形成されている。つまり、取付穴８から基礎コンクリート２の外部に露出する支柱の露出部分15と埋込部分13との境界部分Ｂ（図２,図４〜８中、一点鎖線にて表示）から埋込部分13全体の長さＬ１の約１／３〜１／２である長さＬ３にかけての埋込部分13の露出部分15側には、抜け止め部14分を設けない領域を有している。
【００２４】
図４〜８に基づいて抜け止め部14の詳細な説明を行うと、抜け止め部14は図４に示すように対向板部12a及び12bの埋込部分13の平面部16に所定間隔を有して形成された複数の略円形状の貫通部を凹部17として、この複数の凹部17と隣接した平面部16の表面16aを凸部18とした凹凸状に形成したものや、対向板部12a及び12bの埋込部分13の左右両端面部19a及び19bを鋸刃形状（図５及び図６参照）、波型形状（図７参照）、又は櫛刃形状（図８参照）等に切り欠いて、左右両端面部19a及び19bの表面19cに所定間隔を有して連続する複数の凹部20を形成し、この複数の凹部20に隣接した左右両端面部19a及び19bの表面19cを凸部21として左右両端面部19a及び19bを凹凸状に形成したものとする。
【００２５】
ここで、抜け止め部14は、切欠、切断、金型加工、プレス加工、打ち抜き加工等によって各凹部17及び20が形成されており、そのため、図４〜８のいずれの凸部18及び21も対向板部12a及び12bの各面部16, 19a及び19bの表面16a及び19cより突出しない構成としている。
【００２６】
さらに、抜け止め部14を含む埋込部分13から、露出部分15の埋込部分13との境界部分Ｂから支柱３の長手方向に沿って所定長さＬ４（約２０ｍｍ）までの所定部分Ｎにかけて、支柱３の表面に約２４０度位の高温樹脂焼付による塗装部Ｐ（図２,図４〜８中、点々の部分にて表示）が形成されている。
【００２７】
ここで、高温樹脂焼付の仕様としては、メラミン樹脂焼付、エポキシ変性メラミン樹脂焼付、アクリル樹脂焼付、ポリエステル樹脂焼付、フッ素樹脂焼付、１液（１液型）ウレタン樹脂焼付等が挙げられるが、上述の仕様に限られるものではないことはいうまでもない。
【００２８】
また、一方の対向板部12a及び12bの露出部分15の基礎コンクリートから所定高さ位置には貫通孔（図示せず）が穿設されており、この貫通孔に横桟用取付金具22が取り付けられ、当該横桟用取付金具22により横桟４が取り付けられている。
【００２９】
横桟用取付金具22は、対向板部12a及び12bの幅寸法H1とほぼ同じ幅寸法でなりＬ字状に屈曲した横桟支持部23と、この横桟支持部23の一面に穿設した貫通孔（図示せず）に取り付け可能なビス24と、当該横桟支持部23の他面に穿設した貫通孔（図示せず）に取り付け可能なボルト25及びナット26でなる横桟用固定部27とで構成されている。
【００３０】
これら構成でなる横桟用取付金具22は、一方の対向板部12aと横桟支持部23の各貫通孔にボルト25を挿通した後、このボルト25にナット26を螺嵌することにより、横桟支持部23が対向板部12aに固定され得る。
【００３１】
そして、横桟用取付金具22では、横桟支持部23の一面に横桟４を配置して、横桟４の下部面に穿設した貫通孔（図示せず）を横桟支持部23の一面に穿設した貫通孔に対し位置決めし得るようになされている。
【００３２】
かくして、横桟用取付金具22は、この状態で横桟支持部23の一面の下方からビス24を介して、横桟４を横桟支持部23に固定し得る。
【００３３】
また、支柱３の対向板部12a及び12bには、上端部６付近にも貫通孔（図示せず）が穿設されており、この貫通孔に笠木用取付金具28が取り付けられるようになされている。
【００３４】
笠木用取付金具28は、対向板部12a及び12bの幅寸法Ｈとほぼ同じ幅寸法でなり、それぞれ対向板部12a及び12bを外側より挟持可能は一対の対向片部29a及び29bと、一方で各対向片部29a及び29bの上部を連結し、他方を縦桟５の上端部に配設可能に設けた縦桟支持部30とからなる断面略Ｆ字状の笠木支持部31と、この笠木支持部31の一対の対向片部29a及び29bにそれぞれ穿設した貫通孔（図示せず）に取付可能なボルト32及びナット33でなる笠木用固定部34とで構成されており、縦桟支持部30の他方側の上部には笠木７が架設されている。
【００３５】
これら構成でなる笠木用取付金具28は、対向片部29a及び29bによって対向板部12a及び12bを外側から挟持して、対向片部29a及び29b及び対向板部12a及び12bの各貫通孔にボルト32を挿通した後、このボルト32にナット33を螺嵌することにより、対向片部29a及び29b及び対向板部12a及び12bを固定し得る。
【００３６】
そして、笠木用取付金具28では、縦桟支持部30及び縦桟５の上端部をビス35を介して固定し、笠木７、縦桟５及び支柱３を固定させ得る。さらに、縦桟５の下端と横桟４の上面とはビス36を介して固定されている。
【００３７】
このようにして、支柱３は、笠木７を支持するとともに、横桟４を連結し、当該笠木７と横桟４との間に複数の縦桟５を掛け渡し得るようになされている。
【００３８】
以上の構成において、支柱３では、全体が中実部材で一体形成されていることにより、横桟４などを取り付けるために任意に貫通孔を穿設しても、支柱３内部へ水が浸入したり、浸透したりすることを確実に防止できる。
【００３９】
取付穴８から基礎コンクリート２の外部に露出する支柱３の露出部分15と埋込部分13との境界部分Ｂから、埋込部分13全体の長さＬ１の１／３〜１／２である長さＬ３にかけて、埋込部分13の露出部分15側に、抜け止め部14を設けない領域を有したことで、荷重のかかり易い基礎コンクリート２から露出した支柱３の根元側の強度を落すことなく、抜け止め部14による支柱３の抜け止め効果を発揮することができる。また、抜け止め部14の凹凸形状によって、取付穴８内部での充填材の回りが良くなり、支柱３の抜け止め効果が向上し、支柱３を強固に固定することができる。
【００４０】
さらに、抜け止め部14を、複数の貫通部からなる凹部17（図４参照）、鋸刃形状（図５及び図６参照）、波型形状（図７参照）、或いは櫛刃形状（図８参照）等の単純な形状の組み合わせからなる凹部20から構成することで、切欠、切断、金型加工、プレス加工、打ち抜き加工による加工を容易にし、加工時間の短縮によるコスト削減を図ることができる。
【００４１】
図４〜８のいずれの抜け止め部14も、対向板部12a及び12bに設けることにより、支柱３の強度を損なうことなく、抜け止め部14を設けることが可能となる。
【００４２】
図４〜８に示すように、抜け止め部14のいずれの凸部18及び21も対向板部12a及び12bの各面部16, 19a及び19bの表面16a及び19cより突出しない構成とすることで、支柱３全体の大きさを増加することなく抜け止め部14を設けることができるとともに、支柱３全体の形状を引っかかりの少ないものとすることができるので、運搬や取付穴８への固定作業等の作業性を損なうことなく、支柱３の抜け止め効果を発揮することが可能となり、さらに取付穴８の水平断面形状を支柱３の水平断面形状に合わせた形状とすればよく、基礎コンクリート２の強度を損なわない大きさとすることが可能となる。
【００４３】
抜け止め部14の形成時に、切欠、切断、金型加工、プレス加工、打ち抜き加工等により、支柱３の抜け止め部14、特に凹部17及び20の加工部分における表面のアルマイト皮膜および電着塗装皮膜が除去されアルミニウムの生地が剥き出しとなる。そこで、抜け止め部14を含む埋込部分13の支柱３の表面に塗装部Ｐが形成されることにより、支柱の抜け止め部14、特に凹部17及び20の加工表面が、塗装部Ｐによって覆われるので、支柱３の耐候性を高めて、支柱と基礎コンクリート２がアルカリ骨材反応を発生して支柱３に腐食が発生することを防ぐ。こうすることで、長い年月が経過しても劣化しない超高耐候性を有する手摺１を提供することが可能となる。
【００４４】
ここで、上記支柱３に周知の超高強度コンクリートを用いた基礎コンクリート２を組み合わせることで、手摺１の基礎部分の強度を向上させて、手摺１の耐候性をさらに向上させることが可能となる。
【００４５】
特に、埋込部分13のみならず、露出部分15の埋込部分13との境界部分Ｂから支柱３の長手方向（図２中、Ｘ方向）に沿って所定長さＬ４までの所定部分Ｎにかけて、支柱３の表面に塗装部Ｐが形成されたことにより、支柱３の中で一番腐食し易い基礎コンクリート２から露出した根元付近の腐食を防ぐことが可能となる。
【００４６】
以上のように本実施例は請求項１に対応しており、基礎たる基礎コンクリート２に固定する手摺用支柱１において、全体を中実部材で形成して、支柱１の一方を基礎コンクリート２に埋め込まれる埋込部分13とし、他方を基礎コンクリート２から露出する露出部分15とし、前記埋込部分13に凹凸状の抜け止め部14を備えている。
【００４７】
この場合、支柱３全体が中実部材で形成されていることにより、支柱３内部への水の浸入や浸透を確実に防止でき、水の浸入による手摺１の破損を確実に回避できる。また、抜け止め部14の凹凸形状によって、基礎コンクリート２と支柱３とを固定する充填材の取付穴８内部での回りが良くなり、支柱３の抜け止め効果が向上し、支柱３を強固に固定することができる。
【００４８】
また本実施例は請求項２に対応しており、埋込部分13の露出部分15側に抜け止め部14を設けない領域を備えており、荷重のかかり易い基礎コンクリート２から露出した支柱３の根元側の強度を落すことなく、抜け止め部14による支柱３の抜け止め効果を発揮することができる。
【００４９】
さらに本実施例は請求項３に対応しており、埋込部分13から露出部分15にかけて支柱３の表面に焼付塗装を行う塗装部Ｐを備えている。
【００５０】
この場合、支柱３の耐候性を高めて、支柱と基礎コンクリート２がアルカリ骨材反応を発生して支柱３に腐食が発生することを防ぐ。こうすることで、長い年月が経過しても劣化しない超高耐候性を有する手摺１を提供することができ、特に支柱３の中で一番腐食し易い基礎コンクリート２から露出した根元付近の腐食を防ぐことが可能となる。
【００５１】
また本実施例は請求項４に対応しており、支柱３は、中央板部11と、この中央板部11の両端部にそれぞれ一体成形され互いに対向した対向部12a及び12bとによって、水平断面がほぼＨ状又はＩ状に形成されており、抜け止め部14は対向部12a及び12bに設けられている。
【００５２】
この場合、支柱全体が中実部材で形成されているものの、水平断面をほぼＨ状又はＩ状としたので、従来のような中空の筒状態でなる支柱と同様に軽量にできるとともに、強度を維持でき、さらに支柱３の強度を損なうことなく、抜け止め部14を設けることが可能となる。
【００５３】
さらに本実施例は請求項５に対応しており、基礎たる基礎コンクリート２に固定する手摺用支柱３を有する手摺において、前記手摺用支柱は、請求項１〜４のいずれか１項に記載の手摺用支柱を用いる。
【００５４】
この場合、支柱３全体が中実部材で形成されていることにより、支柱３内部への水の浸入や浸透を確実に防止でき、水の浸入による手摺１の破損を確実に回避できる。また、抜け止め部14の凹凸形状によって、取付穴８内部での充填材の回りが良くなり、支柱３の抜け止め効果が向上し、支柱３を強固に固定することができる。
【００５５】
また本実施例は請求項６に対応しており、基礎コンクリート２を、超高強度コンクリートとする。
【００５６】
この場合、支柱３に周知の超高強度コンクリートを用いた基礎コンクリート２を組み合わせることで、手摺１の基礎部分の強度を向上させて、手摺１の耐候性をさらに向上させることが可能となる。
【００５７】
以上のように、本実施例上の作用として、支柱３の全体が中実部材で形成されていることにより、当該支柱３内部への水の浸入や浸透を確実に防止でき、かくして水の浸入による手摺１の破損を確実に回避できる。
【００５８】
また、支柱３の全体が中実部材で形成されているものの、支柱３の長手方向に沿って溝部10a及び10bを設け、水平断面をほぼH状としたことで、単に角柱状や円柱状でなる支柱に比較して格段的に軽量にできるとともに、従来のような中空の筒状体でなる支柱と比較しても同様に軽量にできる。
【００５９】
さらに、水平断面をほぼH状としたことで、周囲側面において断面係数を大きくでき、当該周囲側面から外力が与えられても曲がり難くし得、かくして支柱３としての強度を維持できる。
【００６０】
なお、前記実施例においては、支柱３の水平断面をほぼH状に形成するようにした場合について述べたが、本発明はこれに限らず、支柱３の水平断面をほぼI状に形成するようにしても良い。
【００６１】
また、前記実施例においては、上端部６から下端部９まで全ての水平断面を同一寸法でほぼH状とした場合について述べたが、本発明はこれに限らず、軽量を図る重さや強度に応じて、適宜、上端部６から下端部９までの一部をほぼH状としたり、上端部６から下端部９までの一部で水平断面のH状の寸法を変更するようにしたりしても良い。
【００６２】
上記実施例の構成を採用することにより、需要者が望む100年、200年を経ても腐食等による破損を防止する耐候性に優れた手摺用支柱３及びそれを用いた手摺１を提供することが可能となる。
【００６３】
さらに、本発明は前記実施例に限定されるものではなく、本発明の要旨の範囲内で種々の変形実施が可能である。例えば、横桟４と横桟支持部23とを別体とした場合ついて述べたが、本発明はこれに限らず、横桟４と横桟支持部23が一体成形されたものなどでも良い。また、手摺の材料は、アルミニウムに限られず、他の金属材料であってもよい。さらに、凹部17を形成する貫通孔の形状も略円状に限らず、他の形状であってもよく、図４に示す凹部17と図５〜８に示す凹部20を適宜組み合わせてもよい。
【図面の簡単な説明】
【００６４】
【図１】本発明の一実施例における手摺の全体構成を示す正面図である。
【図２】同上、手摺の縦断面図である。
【図３】同上、手摺における要部の水平断面図である。
【図４】同上、支柱の要部斜視図である。
【図５】同上、抜け止め部の変形例を示す支柱の要部斜視図である。
【図６】同上、抜け止め部の他の変形例を示す支柱に要部斜視図である。
【図７】同上、抜け止め部の別の変形例を示す支柱の要部斜視図である。
【図８】同上、抜け止め部のさらに別の変形例を示す支柱の要部斜視図である。
【符号の説明】
【００６５】
１  縦樋
２  基礎コンクリート（基礎）
３  支柱（手摺用支柱）
13  埋込部分
14  抜け止め部
15  露出部分
Ｐ  塗装部
【図１】
2010156151.tif 000003
【図２】
2010156151.tif 000004
【図３】
2010156151.tif 000005
【図４】
2010156151.tif 000006
【図５】
2010156151.tif 000007
【図６】
2010156151.tif 000008
【図７】
2010156151.tif 000009
【図８】
2010156151.tif 000010